(57)【要約】【課題】グリースの撹拌抵抗によるトルクロスを増大させることなく、リング状の保持器を安定して案内することができる密封型アンギュラ玉軸受を提供することである。【解決手段】リング状の保持器４のカウンタボア１ｂと反対側に配置される環状部４ａの内径面４ａａを内輪１の外径面１ｃで案内し、カウンタボア１ｂ側に配置される環状部４ｂを内径側へカウンタボア１ｂに沿って増厚して、その内径面４ｂａをカウンタボア１ｂの外径面で案内することにより、軸受回転に伴う遠心力によって外輪２の軌道溝２ａに入り込むグリースを保持器４の環状部４ａ、４ｂで堰き止めることなく、保持器４を傾斜浮き上がりが生じないように内輪１の軌道溝１ａの両側で案内し、グリースの撹拌抵抗によるトルクロスを増大させることなく、リング状の保持器４を安定して案内できるようにした。【選択図】図１
2008202683.tif 000002
【特許請求の範囲】
【請求項１】
内輪と外輪の軌道溝間に複数のボールを配列して、この配列した複数のボールを、２つの環状部を複数の柱部で連結したリング状の保持器に保持し、前記内輪の軌道溝の片側にカウンタボアを設けて、前記外輪の両端部に形成したシール溝に装着したシール部材で、グリースが封入される軸受内部を密封した密封型アンギュラ玉軸受において、前記リング状の保持器の前記カウンタボアと反対側に配置される環状部の内径面を前記内輪の外径面で案内し、前記カウンタボア側に配置される環状部を内径側へカウンタボアに沿って増厚することで、その内径面を前記カウンタボアの外径面で案内するようにしたことを特徴とする密封型アンギュラ玉軸受。
【請求項２】
前記内輪の内径寸法が１０ｍｍ以下、前記外輪の外径寸法と内輪の内径寸法との差が１２ｍｍ以下である請求項１に記載の密封型アンギュラ玉軸受。
【発明の詳細な説明】
【技術分野】
【０００１】
本発明は、グリースが封入される軸受内部をシール部材で密封した密封型アンギュラ玉軸受に関する。
【背景技術】
【０００２】
グリースが封入される軸受内部をシール部材で密封した深溝玉軸受やアンギュラ玉軸受の密封型玉軸受では、軸受回転に伴う遠心力によって外輪側に多く存在するグリースの漏れを防止するため、シール部材を外輪の両端部に設けたシール溝に装着し、シール部材の先端側のシールリップを内輪の両端部に設けたシール溝に、接触または非接触で差し込んで軸受内部を密封している。
【０００３】
このような密封型玉軸受のうち、内輪と外輪のいずれか一方に、ボールを軌道溝に導くためのカウンタボアを軌道溝の片側に設けた密封型アンギュラ玉軸受では、外輪の両端部のシール溝に同じ規格のシール部材を安定して装着できるように、カウンタボアを内輪側に設けたものが多い。特に、内輪の内径寸法が１０ｍｍ以下、外輪の外径寸法と内輪の内径寸法との差が１２ｍｍ以下であるような小型のアンギュラ玉軸受では、カウンタボアを外輪側に設けると、薄肉となるカウンタボア側に十分な深さのシール溝を形成できず、シール部材を安定して装着できないので、カウンタボアは内輪側に設けることが必須となる。
【０００４】
一方、内外輪の軌道輪の一方にカウンタボアが設けられたアンギュラ玉軸受では、軸受組み立て時に、カウンタボアのない方の軌道輪の軌道溝に、複数のボールを収納した保持器を先に組み付け、カウンタボアを設けた軌道輪を後から軸方向に組み込むことができるので、複数のボールを収納する保持器には、２つの環状部を複数の柱部で連結した剛性の高いリング状の保持器が多く用いられている。
【０００５】
このリング状の保持器は、ポケット面でボールに案内されるボール案内型のもの、環状部の外径面で外輪の内径面に案内される外輪案内型のもの、および、環状部の内径面で内輪の外径面に案内される内輪案内型のものがある。このうち、ボール案内型の保持器は、ボールを外径側からポケットに収納し、収納したボールを内径側から抱え込むようになっているので、上記内輪側にカウンタボアを設け、外輪の軌道溝にボールを収納した保持器を先に組み付ける密封型アンギュラ玉軸受には採用することができない。
【０００６】
一方、外輪案内型や内輪案内型の保持器は、ボールを外径側からも内径側からもポケットに収納できるので、内輪側にカウンタボアを設けた密封型アンギュラ玉軸受にも採用できるが、カウンタボアを設けた側の軌道輪で案内されるものは、カウンタボアのない軌道溝の片側の案内面でしか案内されないので、保持器が凹んだカウンタボア側へ傾斜するように案内面から浮き上がり、軸受の回転に悪影響を及ぼす問題がある。
【０００７】
なお、カウンタボアを設けた側の軌道輪で案内される保持器の傾斜浮き上がりを防止する手段としては、密封型ではなく、外輪側にカウンタボアを設けたアンギュラ玉軸受を対象として、カウンタボア側に配置される環状部を外径側へ増厚し、その外径面をカウンタボアの内径面で案内し、カウンタボアと反対側に配置される環状部の外径面を外輪の内径面で案内する方法が提案されている（例えば、特許文献１参照）。
【０００８】
【特許文献１】特開平７−２７９９５０号公報
【発明の開示】
【発明が解決しようとする課題】
【０００９】
上述した内輪側にカウンタボアを設けた密封型アンギュラ玉軸受におけるリング状の保持器の傾斜浮き上がりを防止するためには、保持器をカウンタボアのない外輪の内径面で案内する外輪案内型のものとすることが考えられる。しかしながら、軸受内部にグリースが封入される密封型アンギュラ玉軸受では、保持器を外輪案内型のものとすると、軸受回転に伴う遠心力によって外輪側に移動して外輪の軌道溝に入り込むグリースが、その両側の内径面で案内される保持器の環状部で堰き止められて、外輪の軌道溝に過剰のグリースが溜まる。このため、外輪の軌道溝を転動するボールに対するグリースの撹拌抵抗によってトルクロスが増大する問題がある。
【００１０】
そこで、本発明の課題は、グリースの撹拌抵抗によるトルクロスを増大させることなく、リング状の保持器を安定して案内することができる密封型アンギュラ玉軸受を提供することである。
【課題を解決するための手段】
【００１１】
上記の課題を解決するために、本発明は、内輪と外輪の軌道溝間に複数のボールを配列して、この配列した複数のボールを、２つの環状部を複数の柱部で連結したリング状の保持器に保持し、前記内輪の軌道溝の片側にカウンタボアを設けて、前記外輪の両端部に形成したシール溝に装着したシール部材で、グリースが封入される軸受内部を密封した密封型アンギュラ玉軸受において、前記リング状の保持器の前記カウンタボアと反対側に配置される環状部の内径面を前記内輪の外径面で案内し、前記カウンタボア側に配置される環状部を内径側へカウンタボアに沿って増厚することで、その内径面を前記カウンタボアの外径面で案内するようにした構成を採用した。
【００１２】
すなわち、リング状の保持器のカウンタボアと反対側に配置される環状部の内径面を内輪の外径面で案内し、カウンタボア側に配置される環状部を内径側へカウンタボアに沿って増厚することで、その内径面をカウンタボアの外径面で案内することにより、軸受回転に伴う遠心力によって外輪の軌道溝に入り込むグリースを保持器の環状部で堰き止めることなく、保持器を傾斜浮き上がりが生じないように内輪の軌道溝の両側で案内し、グリースの撹拌抵抗によるトルクロスを増大させることなく、リング状の保持器を安定して案内できるようにした。
【００１３】
上述した密封型アンギュラ玉軸受は、前記内輪の内径寸法が１０ｍｍ以下、前記外輪の外径寸法と内輪の内径寸法との差が１２ｍｍ以下であるものに好適である。
【発明の効果】
【００１４】
本発明の密封型アンギュラ玉軸受は、リング状の保持器のカウンタボアと反対側に配置される環状部の内径面を内輪の外径面で案内し、カウンタボア側に配置される環状部を内径側へカウンタボアに沿って増厚することで、その内径面をカウンタボアの外径面で案内することにより、軸受回転に伴う遠心力によって外輪の軌道溝に入り込むグリースを保持器の環状部で堰き止めることなく、保持器を傾斜浮き上がりが生じないように内輪の軌道溝の両側で案内するようにしたので、グリースの撹拌抵抗によるトルクロスを増大させることなく、リング状の保持器を安定して案内することができる。
【発明を実施するための最良の形態】
【００１５】
以下、図面に基づき、本発明の実施形態を説明する。図１に示すように、この密封型アンギュラ玉軸受は、内輪１の内径寸法ｄが１０ｍｍ以下、外輪２の外径寸法Ｄと内輪１の内径寸法ｄとの差が１２ｍｍ以下とされた小型のものであり、内輪１と外輪２の軌道溝１ａ、２ａ間に配列された複数のボール３がリング状の保持器４で保持され、内輪１の軌道溝１ａの片側にカウンタボア１ｂが設けられて、外輪２の両端部に形成されたシール溝５に、グリース（図示省略）が封入される軸受内部を密封するシール部材として、芯金６ａを有するゴム製の非接触式シール６が装着されている。
【００１６】
前記リング状の保持器４は、２つの環状部４ａ、４ｂを複数の柱部４ｃで連結したものであり、カウンタボア１ｂと反対側に配置された環状部４ａの内径面４ａａが内輪１の外径面１ｃで案内されるとともに、カウンタボア１ｂ側に配置された環状部４ｂが内径側へカウンタボア１ｂに沿って増厚されることで、その内径面４ｂａがカウンタボア１ｂの外径面で案内されるようになっている。したがって、軸受回転に伴う遠心力によって外輪２の軌道溝２ａに入り込むグリースが保持器４の各環状部４ａ、４ｂで堰き止められることはなく、保持器４に傾斜浮き上がりが生じることもない。
【００１７】
前記外輪２の両端部のシール溝５に装着された非接触式シール６は同じ規格のものとされ、その先端側のシールリップ６ｂが内輪１の両端部に形成されたシール溝７に非接触で差し込まれ、ラビリンス隙間が形成されている。非接触式シール６が装着された外輪２の両端部のシール溝５は同じ深さとされ、これらのシールリップ６ｂが差し込まれた内輪１の両端部のシール溝７は、カウンタボア１ｂ側のものが少し浅くなっている。なお、両側の同じ規格の非接触式シール６は、カウンタボア１ｂ側を識別できるように、外側面が異なる色に着色されている。
【００１８】
上述した実施形態では、シール部材をゴム製の非接触式シールとしたが、このシール部材はゴム製の接触式シールや金属板性のシールドとしてもよい。
【図面の簡単な説明】
【００１９】
【図１】密封型アンギュラ玉軸受の実施形態を示す縦断面図
【符号の説明】
【００２０】
１  内輪
１ａ  軌道溝
１ｂ  カウンタボア
１ｃ  外径面
２  外輪
２ａ  軌道溝
３  ボール
４  保持器
４ａ、４ｂ  環状部
４ａａ、４ｂａ  内径面
４ｃ  柱部
５  シール溝
６  非接触式シール
６ａ  芯金
６ｂ  シールリップ
７  シール溝
【図１】
2008202683.tif 000003